【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
基地局からシステム情報ブロック（ＳＩＢ）中で少なくとも１つのパラメータの指示を受信することと、ここにおいて、前記指示は、割り当てられていない変調およびコーディング方式（ＭＣＳ）インデックスに対応するトランスポートブロックサイズ（ＴＢＳ）値を備える、
前記基地局にランダムアクセス要求を送信することと、
前記基地局からランダムアクセス応答（ＲＡＲ）中でＭＣＳインデックスを受信することと、ここにおいて、前記ＲＡＲ中で受信された前記ＭＣＳインデックスは、前記割り当てられていないＭＣＳインデックスを備える、
前記ＳＩＢ中に示された前記ＴＢＳ値と前記ＭＣＳインデックスとに基づいて、いくつかのリソースユニットを使用して前記基地局に接続要求メッセージを送信することと
を備える、方法。
【請求項２】
前記ＳＩＢ中で受信された前記指示に基づいて前記基地局からの前記ＲＡＲを処理すること
をさらに備える、請求項１に記載の方法。
【請求項３】
前記少なくとも１つのパラメータが、異なるサポートされたカバレージレベルに対して異なるパラメータを備える、請求項１に記載の方法。
【請求項４】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択することと、ここにおいて、前記ランダムアクセス要求が、前記選択されたＰＲＡＣＨリソースを使用して送信される、
前記ランダムアクセス要求を送信するために使用される前記ＰＲＡＣＨリソースに基づいて前記基地局からの前記ＲＡＲを解釈することと
をさらに備える、請求項１に記載の方法。
【請求項５】
前記指示がスケーリング値を備え、前記接続要求メッセージが、前記ＳＩＢ中で受信された前記スケーリング値によってスケーリングされている前記ＭＣＳインデックスに対応するリソースユニットの数に基づいて送信される、請求項１に記載の方法。
【請求項６】
前記指示がスケーリング値を備え、前記接続要求メッセージが、前記ＳＩＢ中で受信された前記スケーリング値によってスケーリングされている前記ＭＣＳインデックスに対応するトランスポートブロックサイズに基づいて送信される、請求項１に記載の方法。
【請求項７】
ユーザ機器（ＵＥ）であって、請求項１乃至６のうちのいずれかに記載の方法を実行するための手段を備える、ＵＥ。
【請求項８】
ユーザ機器（ＵＥ）におけるワイヤレス通信のためのコンピュータ実行可能コードを記憶するコンピュータ可読媒体であって、実行されると、前記ＵＥに、請求項１乃至６のうちのいずれかに記載の方法を実行させるコードを備える、コンピュータ可読媒体。
【請求項９】
基地局におけるワイヤレス通信の方法であって、
システム情報ブロック（ＳＩＢ）中で、ランダムアクセス応答許可に関連する少なくとも１つのパラメータの指示を送信することと、ここにおいて、前記指示は、割り当てられていない変調およびコーディング方式（ＭＣＳ）インデックスに対応するトランスポートブロックサイズ（ＴＢＳ）値を備える、
ユーザ機器（ＵＥ）からランダムアクセス要求を受信することと、
前記ＵＥにランダムアクセス応答（ＲＡＲ）中でＭＣＳインデックスを送信することと、ここにおいて、前記ＲＡＲ中で受信された前記ＭＣＳインデックスは、前記割り当てられていないＭＣＳインデックスを備える、
前記ＵＥから、前記ＳＩＢ中に示された前記ＴＢＳ値と前記ＭＣＳインデックスとに基づいて、いくつかのリソースユニットを使用して接続要求メッセージを受信することと
を備える、方法。
【請求項１０】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ランダムアクセス要求が受信されたＰＲＡＣＨリソースに基づいて前記ＵＥからの前記ランダムアクセス要求を解釈すること
をさらに備える、請求項９に記載の方法。
【請求項１１】
前記指示がスケーリング値を備え、前記接続要求メッセージが、前記ＳＩＢ中で示された前記スケーリング値によってスケーリングされている前記ＭＣＳインデックスに対応するリソースユニットの数に基づいて受信される、請求項９に記載の方法。
【請求項１２】
前記少なくとも１つのパラメータが、異なるサポートされたカバレージレベルに対して異なるパラメータを備える、請求項９に記載の方法。
【請求項１３】
基地局であって、請求項９乃至１２のうちのいずれかに記載の方法を実行するための手段を備える、基地局。
【請求項１４】
基地局におけるワイヤレス通信のためのコンピュータ実行可能コードを記憶するコンピュータ可読媒体であって、実行されると、ＵＥに、請求項９乃至１２のうちのいずれかに記載の方法を実行させるコードを備える、コンピュータ可読媒体。
【手続補正２】
【補正対象書類名】明細書
【補正対象項目名】０１３４
【補正方法】変更
【補正の内容】
【０１３４】
[00148]  以上の説明は、当業者が本明細書に記載された様々な態様を実践することを可能にするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の範囲の言い回しに矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣとなり得、ここで、任意のそのような組合せは、Ａ、Ｂ、またはＣのうちの１つまたは複数のメンバを含み得る。本開示全体にわたって説明する種々の態様の要素に対するすべての構造的および機能的均等物は、当業者には知られているか、または後に知られるようになり、参照により本明細書に明確に組み込まれ、特許請求の範囲によって包含されることを意図する。その上、本明細書で開示されるいかなることも、そのような開示が特許請求の範囲に明示的に具陳されているのかどうかにかかわらず、公に供するものではない。「モジュール」、「機構」、「要素」、「デバイス」などという単語は、「手段」という単語の代用でないことがある。そのため、いかなるクレーム要素も、その要素が「のための手段」という語句を使用して明確に列挙されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
基地局からシステム情報ブロック（ＳＩＢ）中で少なくとも１つのパラメータの指示を受信することと、
前記基地局にランダムアクセス要求を送信することと、
前記基地局からランダムアクセス応答（ＲＡＲ）中で変調およびコーディング方式（ＭＣＳ）インデックスを受信することと、
前記ＭＣＳインデックスと前記指示とに基づいて前記基地局に接続要求メッセージを送信することと
を備える、方法。
［Ｃ２］
前記ＳＩＢ中で受信された前記指示に基づいて前記基地局からの前記ＲＡＲを処理すること
をさらに備える、Ｃ１に記載の方法。
［Ｃ３］
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、前記接続要求メッセージが、前記ＳＩＢ中で受信された前記ＲＡＲパラメータに基づいて送信される、Ｃ１に記載の方法。
［Ｃ４］
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、前記接続要求メッセージが、リソースユニットのあらかじめ定義された数と前記ＳＩＢ中で受信された前記ＴＢＳ値とに基づいて送信される、Ｃ１に記載の方法。
［Ｃ５］
前記少なくとも１つのパラメータが、異なるサポートされたカバレージレベルに対して異なるパラメータを備える、Ｃ１に記載の方法。
［Ｃ６］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択することと、ここにおいて、前記ランダムアクセス要求が、前記選択されたＰＲＡＣＨリソースを使用して送信される、
前記ランダムアクセス要求を送信するために使用される前記ＰＲＡＣＨリソースに基づいて前記基地局からの前記ＲＡＲを解釈することと
をさらに備える、Ｃ１に記載の方法。
［Ｃ７］
前記指示がスケーリング値を備え、前記接続要求メッセージが、前記ＳＩＢ中で受信された前記スケーリング値によってスケーリングされている前記ＭＣＳインデックスに対応するリソースユニットの数に基づいて送信される、Ｃ１に記載の方法。
［Ｃ８］
前記指示がスケーリング値を備え、前記接続要求メッセージが、前記ＳＩＢ中で受信された前記スケーリング値によってスケーリングされている前記ＭＣＳインデックスに対応するトランスポートブロックサイズに基づいて送信される、Ｃ１に記載の方法。
［Ｃ９］
ユーザ機器（ＵＥ）であって、
基地局からシステム情報ブロック（ＳＩＢ）中で少なくとも１つのパラメータの指示を受信するための手段と、
前記基地局にランダムアクセス要求を送信するための手段と、
前記基地局からランダムアクセス応答（ＲＡＲ）中で変調およびコーディング方式（ＭＣＳ）インデックスを受信するための手段と、
前記ＭＣＳインデックスと前記指示とに基づいて前記基地局に接続要求メッセージを送信するための手段と
を備える、ＵＥ。
［Ｃ１０］
前記ＳＩＢ中で受信された前記指示に基づいて前記基地局からの前記ＲＡＲを処理するための手段
をさらに備える、Ｃ９に記載のＵＥ。
［Ｃ１１］
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、
前記接続要求メッセージを送信するための前記手段が、前記ＳＩＢ中で受信された前記ＲＡＲパラメータに基づいて前記接続要求メッセージを送信するようにさらに構成された、Ｃ９に記載のＵＥ。
［Ｃ１２］
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、
前記接続要求メッセージを送信するための前記手段が、リソースユニットのあらかじめ定義された数と前記ＳＩＢ中で受信された前記ＴＢＳ値とに基づいて前記接続要求メッセージを送信するようにさらに構成された、Ｃ９に記載のＵＥ。
［Ｃ１３］
前記少なくとも１つのパラメータが、異なるサポートされたカバレージレベルに対して異なるパラメータを備える、Ｃ９に記載のＵＥ。
［Ｃ１４］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記ＵＥは、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択するための手段と、ここにおいて、前記ランダムアクセス要求を送信するための前記手段が、前記選択されたＰＲＡＣＨリソースを使用して前記ランダムアクセス要求を送信するようにさらに構成される、
前記ランダムアクセス要求を送信するために使用される前記ＰＲＡＣＨリソースに基づいて前記基地局からの前記ＲＡＲを解釈するための手段と
をさらに備える、Ｃ９に記載のＵＥ。
［Ｃ１５］
前記指示がスケーリング値を備え、前記接続要求メッセージを送信するための前記手段が、前記ＳＩＢ中で受信された前記スケーリング値によってスケーリングされている前記ＭＣＳインデックスに対応するリソースユニットの数に基づいて前記接続要求メッセージを送信するようにさらに構成された、Ｃ９に記載のＵＥ。
［Ｃ１６］
前記指示がスケーリング値を備え、前記接続要求メッセージを送信するための前記手段が、前記ＳＩＢ中で受信された前記スケーリング値によってスケーリングされている前記ＭＣＳインデックスに対応するトランスポートブロックサイズに基づいて前記接続要求メッセージを送信するようにさらに構成された、Ｃ９に記載のＵＥ。
［Ｃ１７］
ユーザ機器（ＵＥ）であって、
メモリと、
前記メモリに結合され、
基地局からシステム情報ブロック（ＳＩＢ）中で少なくとも１つのパラメータの指示を受信することと、
前記基地局にランダムアクセス要求を送信することと、
前記基地局からランダムアクセス応答（ＲＡＲ）中で変調およびコーディング方式（ＭＣＳ）インデックスを受信することと、
前記ＭＣＳインデックスと前記指示とに基づいて前記基地局に接続要求メッセージを送信することと
を行うように構成された少なくとも１つのプロセッサと
を備える、ＵＥ。
［Ｃ１８］
前記少なくとも１つのプロセッサが、前記ＳＩＢ中で受信された前記指示に基づいて前記基地局からの前記ＲＡＲを処理するようにさらに構成された、Ｃ１７に記載のＵＥ。
［Ｃ１９］
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、
前記少なくとも１つのプロセッサが、前記ＳＩＢ中で受信された前記ＲＡＲパラメータに基づいて前記接続要求メッセージを送信するようにさらに構成された、Ｃ１７に記載のＵＥ。
［Ｃ２０］
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、
前記少なくとも１つのプロセッサが、リソースユニットのあらかじめ定義された数と前記ＳＩＢ中で受信された前記ＴＢＳ値とに基づいて前記接続要求メッセージを送信するようにさらに構成された、Ｃ１７に記載のＵＥ。
［Ｃ２１］
前記少なくとも１つのパラメータが、異なるサポートされたカバレージレベルに対して異なるパラメータを備える、Ｃ１７に記載のＵＥ。
［Ｃ２２］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記少なくとも１つのプロセッサが、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択することと、前記選択されたＰＲＡＣＨリソースを使用して前記ランダムアクセス要求を送信することと、
前記ランダムアクセス要求を送信するために使用される前記ＰＲＡＣＨリソースに基づいて前記基地局からの前記ＲＡＲを解釈することと
を行うようにさらに構成された、Ｃ１７に記載のＵＥ。
［Ｃ２３］
前記指示がスケーリング値を備え、前記少なくとも１つのプロセッサが、前記ＳＩＢ中で受信された前記スケーリング値によってスケーリングされている前記ＭＣＳインデックスに対応するリソースユニットの数に基づいて前記接続要求メッセージを送信するようにさらに構成された、Ｃ１７に記載のＵＥ。
［Ｃ２４］
前記指示がスケーリング値を備え、前記少なくとも１つのプロセッサが、前記ＳＩＢ中で受信された前記スケーリング値によってスケーリングされている前記ＭＣＳインデックスに対応するトランスポートブロックサイズに基づいて前記接続要求メッセージを送信するようにさらに構成された、Ｃ１７に記載のＵＥ。
［Ｃ２５］
ユーザ機器におけるワイヤレス通信のためのコンピュータ実行可能コードを記憶するコンピュータ可読媒体であって、
基地局からシステム情報ブロック（ＳＩＢ）中で少なくとも１つのパラメータの指示を受信することと、
前記基地局にランダムアクセス要求を送信することと、
前記基地局からランダムアクセス応答中で変調およびコーディング方式（ＭＣＳ）インデックスを受信することと、
前記ＭＣＳインデックスと前記指示とに基づいて前記基地局に接続要求メッセージを送信することと
を行うためのコードを備える、コンピュータ可読媒体。
［Ｃ２６］
基地局におけるワイヤレス通信の方法であって、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答（ＲＡＲ）中で変調およびコーディング方式（ＭＣＳ）インデックスを送信することと、
前記ＵＥから、前記ＭＣＳインデックスと前記指示とに基づいて接続要求メッセージを受信することと
を備える、方法。
［Ｃ２７］
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、前記接続要求メッセージが、前記ＳＩＢ中の前記ＲＡＲパラメータに基づいて受信される、Ｃ２６に記載の方法。
［Ｃ２８］
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、前記接続要求メッセージが、リソースユニットのあらかじめ定義された数と前記ＳＩＢ中の前記ＴＢＳ値とに基づいて受信される、Ｃ２６に記載の方法。
［Ｃ２９］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ランダムアクセス要求が受信されたＰＲＡＣＨリソースに基づいて前記ＵＥからの前記ランダムアクセス要求を解釈すること
をさらに備える、Ｃ２６に記載の方法。
［Ｃ３０］
前記指示がスケーリング値を備え、前記接続要求メッセージが、前記ＳＩＢ中で示された前記スケーリング値によってスケーリングされている前記ＭＣＳインデックスに対応するリソースユニットの数に基づいて受信される、Ｃ２６に記載の方法。
［Ｃ３１］
前記少なくとも１つのパラメータが、異なるサポートされたカバレージレベルに対して異なるパラメータを備える、Ｃ２６に記載の方法。
［Ｃ３２］
基地局であって、
メモリと、
前記メモリに結合され、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答（ＲＡＲ）中で変調およびコーディング方式（ＭＣＳ）インデックスを送信することと、
前記ＵＥから、前記ＭＣＳインデックスと前記ＳＩＢ中の前記指示とに基づいて接続要求メッセージを受信することと
を行うように構成された少なくとも１つのプロセッサと
を備える、基地局。
［Ｃ３３］
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、
前記少なくとも１つのプロセッサが、前記ＳＩＢ中の前記ＲＡＲパラメータに基づいて前記接続要求メッセージを受信するようにさらに構成された、Ｃ３２に記載の基地局。
［Ｃ３４］
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、
前記少なくとも１つのプロセッサが、リソースユニットのあらかじめ定義された数と前記ＳＩＢ中の前記ＴＢＳ値とに基づいて前記接続要求メッセージを受信するようにさらに構成された、Ｃ３２に記載の基地局。
［Ｃ３５］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記少なくとも１つのプロセッサが、前記ランダムアクセス要求が受信されたＰＲＡＣＨリソースに基づいて前記ＵＥからの前記ランダムアクセス要求を解釈するようにさらに構成された、Ｃ３２に記載の基地局。
［Ｃ３６］
前記指示がスケーリング値を備え、
前記少なくとも１つのプロセッサが、前記ＳＩＢ中に示された前記スケーリング値によってスケーリングされている前記ＭＣＳインデックスに対応するリソースユニットの数に基づいて前記接続要求メッセージを受信するようにさらに構成された、Ｃ３２に記載の基地局。
［Ｃ３７］
前記少なくとも１つのパラメータが、異なるサポートされたカバレージレベルに対して異なるパラメータを備える、Ｃ３２に記載の基地局。
［Ｃ３８］
基地局であって、
システム情報ブロック（ＳＩＢ）中で、ランダムアクセス応答許可に関連する少なくとも１つのパラメータの指示を送信するための手段と、
ユーザ機器（ＵＥ）からランダムアクセス要求を受信するための手段と、
前記ＵＥにランダムアクセス応答（ＲＡＲ）中で変調およびコーディング方式（ＭＣＳ）インデックスを送信するための手段と、
前記ＵＥから、前記ＭＣＳインデックスと前記ＳＩＢ中の前記指示とに基づいて接続要求メッセージを受信するための手段と
を備える、基地局。
［Ｃ３９］
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、
前記接続要求メッセージを受信するための前記手段が、前記ＳＩＢ中の前記ＲＡＲパラメータに基づいて前記接続要求メッセージを受信するようにさらに構成された、Ｃ３８に記載の基地局。
［Ｃ４０］
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、
前記接続要求メッセージを受信するための前記手段が、リソースユニットのあらかじめ定義された数と前記ＳＩＢ中の前記ＴＢＳ値とに基づいて前記接続要求メッセージを受信するようにさらに構成された、Ｃ３８に記載の基地局。
［Ｃ４１］
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記基地局が、前記ランダムアクセス要求が受信されたＰＲＡＣＨリソースに基づいて前記ＵＥからの前記ランダムアクセス要求を解釈するための手段をさらに備える、Ｃ３８に記載の基地局。
［Ｃ４２］
前記指示がスケーリング値を備え、
前記接続要求メッセージを受信するための前記手段が、前記ＳＩＢ中に示された前記スケーリング値によってスケーリングされている前記ＭＣＳインデックスに対応するリソースユニットの数に基づいて前記接続要求メッセージを受信するようにさらに構成された、Ｃ３８に記載の基地局。
［Ｃ４３］
基地局におけるワイヤレス通信のためのコンピュータ実行可能コードを記憶するコンピュータ可読媒体であって、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答中で変調およびコーディング方式（ＭＣＳ）インデックスを送信することと、
前記ＵＥから、前記ＭＣＳインデックスと前記ＳＩＢ中の前記指示とに基づいて接続要求メッセージを受信することと
を行うためのコードを備える、コンピュータ可読媒体。